(57)【特許請求の範囲】
【請求項１】
ロータリーカバー（１）の後端部に回動自在に支持したリヤカバー（２）を、上部リヤカバー（２ａ）と下部リヤカバー（２ｂ）とに上下二分割し、該下部リヤカバー（２ｂ）の左右略中央には、左右の三角扉（５６・５６）を設け、該三角扉（５６・５６）は、畦立器をロータリー耕耘装置に装着する場合に閉じた状態から左右に開放すべく構成し、該三角扉（５６・５６）を開位置と閉位置にロックするためのロック装置（１６）を設け、該ロック装置（１６）は、前記下部リヤカバー（２ｂ）に取付固定される基部（６１）と、三角扉（５６・５６）に取付固定されるアーム（６２）と、該基部（６１）とアーム（６２）とを回動自在に連結する枢支軸（６３）と、該アーム（６２）に支持し、該アーム（６２）の基部（６１）に対する回動位置をロックするロックピン（６４）とで構成し、該ロックピン（６４）はスプリング（６５）により、ロック部（６４ｂ）が閉時ロック孔（６１ａ）と開時ロック孔（６１ｂ）に嵌入する方向へ付勢し、該ロックピン（６４）は、途中部で屈曲した略Ｌ字状に形成したことを特徴とするロータリー耕耘装置。
【発明の詳細な説明】
【０００１】
【発明の属する技術分野】
本発明はトラクタ等に装着されるロータリー耕耘装置のリヤカバーの構成に関し、特に、上下二段に形成したリヤカバーの、下部リヤカバーに設けた三角扉の構成に関する。
【０００２】
【従来の技術】
従来から、トラクタ等に装着されるロータリー耕耘装置においては、ロータリーカバーの後端部にリヤカバーを回動自在に支持し、該リヤカバーを上部リヤカバーと下部リヤカバーとに二分割して上下二段に構成し、該下部リヤカバーを上部リヤカバーの下端部に回動自在に支持したものがある。
【０００３】
ここで、従来のロータリー耕耘装置においては、図７に示すように、開閉状態をロックするロックピン７１は略Ｊ字状に形成されていた。該ロックピン７１のロック部７１ｂはアーム６２の摺動孔６２ａ・６２ａを摺動自在に貫通している。また、把持部７１ａの反ロック部７１ｂ側端部を、アーム６２に形成される回動防止孔６２ｂに摺動自在に嵌入して、該把持部７１ａがロック部７１ｂを中心にして回動することを防止している。そして、該ロックピン７１は、把持部７１ａを引き、又は離すことによって、前述のロックピン６４の場合と同様に、ロック部７１ｂの先端部を基部６１の閉時ロック孔６１ａ又は開時ロック孔６１ｂに対して挿脱することにより開閉ロック状態の切り換えを行うようにしており、開閉ロック状態の切り換えを行う場合には、ロックピン７１のロック部７１ｂが摺動孔６２ａ・６２ａ内を摺動するとともに、把持部７１ａが回動防止孔６２ｂ内を摺動することとなる。
【０００４】
このように、ロックピン７１を摺動孔６２ａ・６２ａ及び回動防止孔６２ｂ内で摺動させて、該ロックピン７１を閉時ロック孔６１ａ又は開時ロック孔６１ｂに対して挿脱するように構成しているが、ロータリー耕耘装置は土や泥が付着しやすい環境や水気が多い場所で使用されるため、摺動孔６２ａ・６２ａ及び回動防止孔６２ｂ内に土や泥が詰まったり、摺動孔６２ａ・６２ａ及び回動防止孔６２ｂとロックピン７１とが錆び付いたりして、該ロックピン７１が挿脱できなくなってしまう場合がある。
【０００５】
この場合、ロックピン７１は、摺動孔６２ａ・６２ａ及び回動防止孔６２ｂといったアーム６２に対する摺動部分を多く有しているため、土・泥の詰まりや錆び付きの発生確率が高く、また、発生した場合には、土・泥の詰まりや錆び付きを取り除いて挿脱可能な状態に復旧するためにかなり大きな力や手間を要するとともに、メンテナンス作業が煩雑となっていた。
【０００６】
【発明が解決しようとする課題】
そこで、本例においては、前述の如く、ロックピン６４を略Ｌ字状に形成し、把持部６４ａをアーム６２に嵌入しないように構成して、該ロックピン６４の摺動部分を減少させ、土・泥の詰まりや錆び付きの発生確率を低減し、また、土・泥の詰まりや錆び付きが発生した場合には復旧するための力や手間を減少するとともに、メンテナンス作業を簡便なものとしている。
【０００７】
【課題を解決するための手段】
本発明は、以上のような課題を解決するために、次のような手段を用いる。
【０００８】
ロータリーカバー（１）の後端部に回動自在に支持したリヤカバー（２）を、上部リヤカバー（２ａ）と下部リヤカバー（２ｂ）とに上下二分割し、該下部リヤカバー（２ｂ）の左右略中央には、左右の三角扉（５６・５６）を設け、該三角扉（５６・５６）は、畦立器をロータリー耕耘装置に装着する場合に閉じた状態から左右に開放すべく構成し、該三角扉（５６・５６）を開位置と閉位置にロックするためのロック装置（１６）を設け、該ロック装置（１６）は、前記下部リヤカバー（２ｂ）に取付固定される基部（６１）と、三角扉（５６・５６）に取付固定されるアーム（６２）と、該基部（６１）とアーム（６２）とを回動自在に連結する枢支軸（６３）と、該アーム（６２）に支持し、該アーム（６２）の基部（６１）に対する回動位置をロックするロックピン（６４）とで構成し、該ロックピン（６４）はスプリング（６５）により、ロック部（６４ｂ）が閉時ロック孔（６１ａ）と開時ロック孔（６１ｂ）に嵌入する方向へ付勢し、該ロックピン（６４）は、途中部で屈曲した略Ｌ字状に形成したものである。
【０００９】
【発明の実施の形態】
本発明の解決すべき課題及び手段は以上の如くであり、次に添付の図面に示した本発明の一実施例を説明する。図１は本発明のロータリー耕耘装置を示す全体平面図、図２は同じく側面図、図３は下部ロックカバーを運転操作部からワンタッチ操作可能に構成したロータリー耕耘装置を示す部分平面図、図４は下部ハンガーロッドのロック装置を示す側面図、図５は下部リヤカバーに形成されるサイドリヤカバー及び三角扉のロック装置を示す正面断面図、図６は同じく側面図、図７は従来のサイドリヤカバー及び三角扉のロック装置を示す正面断面図である。
【００１０】
まず、本発明のロータリー耕耘装置の構成について図１、図２により説明する。ロータリー耕耘装置のロータリー入力ギアケース５の内部には、左右中央部にＰＴＯ入力部が形成されていて、トラクタのＰＴＯ軸にユニバーサルジョイントを介して連結される入力軸４３が該ロータリー入力ギアケース５から前方に突出されている。ロータリー入力ギアケース５は、左右に管フレーム５ａ・５ａを形成して、その一外端部に下方延出状にチェーンケース４を設けるとともに、他外端部に側板４ａを設けている。該チェーンケース４と側板４ａとの間に耕耘爪３ａを放射状に取り付けた耕耘爪軸３を横設し、耕耘爪駆動部を形成している。チェーンケース４を取り付けた側の管フレーム５ａ内には、該チェーンケース４内のチェーン伝動装置に動力を伝達するための伝動軸４４が内設され、トラクタのＰＴＯ軸の動力を入力軸４３にて取り入れ、この伝動軸及びチェーン伝動装置を介して、耕耘爪軸３を駆動するものとなっている。
【００１１】
更に、ロータリー入力ギアケース５の前端において、トラクタの左右ロアリンクに連結するための左右一対のロアリンクブラケット５ｃ・５ｃを突設し、また、該ロータリー入力ギアケース５の左右中央部の上部には支持台６を立設し、該支持台６の上に前後部上方へ延出するアッパーアーム７を立設し、該アッパーアーム７の前上部には、トラクタのトップリンクに連結するためのトップリンク取付部７ｃを形成している。そして、トラクタの作業機装着装置のトップリンクのヒッチをトップリンク取付部７ｃに係止するとともに、該作業機装着装置のロアリンクのヒッチをロアリンクブラケット５ｃ・５ｃに係止されるものとしている。
【００１２】
そして、ロータリー入力ギアケース５の後端には、左右一対のヒンジ５ｂ・５ｂが後方に突設されており、各ヒンジ５ｂ・５ｂに、デプスフレーム３９・３９の前端が上下回動自在に枢支されている。また、左右のデプスフレーム３９・３９は、途中部で左右方向の連結フレーム３９ａにて一体的に連結されており、該デプスフレーム３９・３９は両ヒンジ５ｂ・５ｂに対して一体的に上下回動可能に構成されている。該連結フレーム３９ａの左右中央部と、前記アッパーアーム７の後端部の枢支部７ｂとの間に、伸縮自在のアジャストスクリュウ４１を枢結している。該アジャストスクリュウ４１はネジ杆となっていて、アジャストハンドル４２を持って回転操作すると、回転して伸縮する。その伸縮量に応じてヒンジ５ｂの枢支点に対してのデプスフレーム３９・３９の上下傾斜角が調節される。
【００１３】
また、耕耘爪軸３及びそれより突設する耕耘爪を覆うようにロータリーカバー１を配設し、チェーンケース４とその反対側の側板４ａにおける耕耘爪軸３の軸受け部分にロータリーカバー１を前後回動自在に枢支し、該ロータリーカバー１を耕耘爪３ａの駆動部に対して前後回動自在としており、ロータリーカバー１の後端にはリヤカバー２の前端を枢支している。該リヤカバー２は上部リヤカバー２ａと下部リヤカバー２ｂとに二分割されて上下二段に構成されており、該上部リヤカバー２ａがロータリーカバー後端部に回動中心２６を中心として回動自在に枢支され、下部リヤカバー２ｂが上部リヤカバー２ａ下端部に回動中心２７を中心として回動自在に枢支されている。
【００１４】
上部リヤカバー２ａには、左右一対のハンガーステー３１・３１が設けられており、ロータリーカバー１には左右一対のハンガーブラケット１８・１８が固設されている。該ハンガーブラケット１８とハンガーステー３１との間には上部ハンガーロッド２０が介装されており、該ハンガーブラケット１８の先端部に横設されるホルダー軸１９に上部ハンガーロッド２０が摺動自在に貫通するとともに、ハンガーステー３１に上部ハンガーロッド２０の下端部が回動自在に支持されている。そして、上部リヤカバー２ａが回動すると、上部ハンガーロッド２０の上部がホルダー軸１９内を上下摺動する。
【００１５】
また、上部リヤカバー２ａには左右一対のサブブラケット３２・３２が設けられて、下部リヤカバー２ｂには左右一対の下部ブラケット３３・３３が固設されている。該サブブラケット３２と下部ブラケット３３との間には下部ハンガーロッド２１が介装されており、該サブブラケット３２の先端部に横設されるホルダー軸２３に下部ハンガーロッド２１が摺動自在に貫通するとともに、下部ブラケット３３に下部ハンガーロッド２１の下端部が回動自在に支持されている。そして、下部リヤカバー２ｂが回動すると、下部ハンガーロッド２１の上部がホルダー軸２３内を上下摺動する。
【００１６】
前記上部ハンガーロッド２０は上部リヤカバー２ａが回動すると前記ホルダー軸１９内を摺動し、下部ハンガーロッド２１は下部リヤカバー２ｂが回動するとホルダー軸２３内を摺動するが、該上部ハンガーロッド２０にはスプリング２２を巻装して、上部リヤカバー２ａが後上方へ回動した際に、該スプリング２２により上部リヤカバー２ａを下方側へ付勢可能に構成するとともに、下部ハンガーロッド２１にはスプリング２４を巻装して、下部リヤカバー２ａが後上方へ回動した際に、該スプリング２４により下部リヤカバー２ｂを下方側へ付勢可能に構成しており、該下部リヤカバー２ａにより圃場を加圧可能としている。
【００１７】
また、アッパーアーム７の基端寄り部分にリテーナブラケット７ａを左右方向に横設して、左右一側を外側に突出させ、該リテーナブラケット７ａにロータリーカバー操作スクリュウ９のリテーナ延長パイプ９ｅを挿入して、該リテーナブラケット７ａによりロータリーカバー操作スクリュウ９を回動自在に支持している。
該ロータリーカバー操作スクリュウ９はネジ杆（回動スクリュー）であって、先端に付設した操作ハンドル９ｃの回動操作によって伸縮するように構成している。ロータリーカバー操作スクリュウ９の基端は、ロータリーカバー１上に設けたブラケット１０に枢結され、ロータリーカバー操作スクリュウ９の伸縮量に応じてロータリーカバー１が前後回動する構成としている。そして、耕深設定時には、このロータリーカバー操作スクリュウ９の伸縮操作にてロータリーカバー１を前後回動し、その後部に配設したリヤカバー２の後端を圃場面に接する高さに合わせるのである。
【００１８】
また、前記ハンガーブラケット１８の先端部には、上部ハンガーロッド２０の上方への摺動量を規制するロック装置としての上部ロックカバー３４が設けられている。該上部ロックカバー３４はホルダー軸１９を中心に回動可能であり、該上部ロックカバー３４を回動操作することで、上部ハンガーロッド２０の上方への摺動量が規制されるロック状態と、上部ハンガーロッド２０が摺動量を規制されずに自由に摺動可能となるロック解除状態とを切り換えることができる。上部ロックカバー３４のロック状態とロック解除状態との切り換えは、該上部ロックカバー３４を直接回動操作する他、ロータリー耕耘装置が装着される作業車両の運転操作部に、上部ロックカバー３４と操作ワイヤー３５にて連結した、上部ロックカバー３４操作用の操作レバーを設けて、該操作レバーを操作することにより行うようにしている。
【００１９】
また、前記サブブラケット３２の先端部には、下部ハンガーロッド２１の上方への摺動量を規制するロック装置としての下部ロックカバー３６が設けられている。該下部ロックカバー３６はホルダー軸２３を中心に回動可能であり、該下部ロックカバー３６を回動操作することで、下部ハンガーロッド２１の上方への摺動量が規制されるロック状態と、下部ハンガーロッド２１が摺動量を規制されずに自由に摺動可能となるロック解除状態とを切り換えることができる。下部ロックカバー３６のロック状態とロック解除状態との切り換えは、該下部ロックカバー３６を直接回動操作するように構成しているが、前述の上部ロックカバー３４の場合と同様に、図３に示す如く、ロータリー耕耘装置が装着される作業車両の運転操作部に、下部ロックカバー３６と操作ワイヤー３７にて連結した、下部ロックカバー３６操作用の操作レバーを設けて、該操作レバーを操作することにより行うことも可能である。このように、下部ハンガーロッド２１に設けた下部ロックカバー３６のロック状態とロック解除状態との切り換えを、ロータリー耕耘装置が装着される作業車両の運転操作部に設けた操作レバーにてワンタッチ操作で行うことを可能とすることにより、該下部ロックカバー３６のロック状態とロック解除状態との切換作業を簡便にすることができる。
【００２０】
図４に示すように、下部ロックカバー３６は、該下部ロックカバー３６に固設されたステー４０とサブブラケット３２との間に介装されたスプリング３８により付勢されており、該下部ロックカバー３６のロック解除状態とロック状態とでスプリング３８による付勢方向が死点越えにより切り換わって、該下部ロックカバー３６がロック解除状態にあるときには、スプリング３８の付勢力により下部ロックカバー３６がロック解除状態を保持され、下部ロックカバー３６がロック状態にあるときには、スプリング３８の付勢力により下部ロックカバー３６がロック状態を保持されるように構成している。
【００２１】
そして、下部ロックカバー３６を回動操作してロック状態とした場合は、該下部ロックカバー３６の天井面３６ａが下部ハンガーロッド２１の摺動方向の上方に位置し、該天井面３６ａと下部ハンガーロッド２１との間には寸法Ｄだけの間隙が生じる。これにより、下部ロックカバー３６がロック状態にある場合は、下部ハンガーロッド２１が寸法Ｄだけ上方へ摺動すると、該下部ハンガーロッド２１上端が下部ロックカバー３６の天井面３６ａに当接して、該下部ハンガーロッド２１の上方への摺動量が規制されることとなる。即ち、下部ハンガーロッド２１は寸法Ｄだけ上方へ摺動することができ、下部リヤカバー２ｂはその分だけ上方回動することが可能となる。
【００２２】
従って、下部リヤカバー２ｂに上方回動方向への力がかかって下部ハンガーロッド２１が寸法Ｄだけ摺動し、その後さらに下部リヤカバー２ｂに上方回動方向への力がかかった場合は、下部ロックカバー３６を支持しているサブブラケット３２を介して上部リヤカバー２ａへ上方回動方向の力がかかることとなる。上方回動方向の力がかかって上部ハンガーロッド２０が上方回動すると、サブブラケット３２に支持されるオートロッド２５が上方に移動して、耕深を自動的に一定に調節するオート機構が作動する。例えば、耕耘作業中や代かき作業中に、上部ロックカバー３４と下部ロックカバー３６とを共にロック状態にしておけば、該上下部ロックカバー３４・３６により規制された上下部ハンガーロッド２０・２１の摺動可能量以上、即ち上下部リヤカバー２ａ・２ｂの回動量以上に耕深が変化すると、下部リヤカバー２ｂが圃場面から上方回動方向の力を受けて、上下部リヤカバー２ａ・２ｂが上方回動され、前記オート機構を作動させて耕深を一定に保つことができるのである。
【００２３】
また、下部ロックカバー３６を切り換えてロック状態としている場合、前記寸法Ｄだけ下部ハンガーロッド２１が摺動可能なので、耕深の変化が、下部ハンガーロッド２１の摺動が寸法Ｄの範囲内で収まる程度の大きさである間は、下部リヤカバー２ｂが回動動作するだけで前記オート機構は作動せず、耕耘爪３ａと上下部リヤカバー３ａ・３ｂとの間の間隙を大きくとることができ、砕土性を良好に保つことができる。また、この場合、前記スプリング２４の付勢力のみに基づく下方回動力が下部リヤカバー２ｂにかかることとなり、この下方回動力により該下部リヤカバー２ｂが圃場面を加圧して圃場面を均平に均すので、きれいな仕上がりを得ることができ、均平性の向上を図ることができる。
【００２４】
また、下部ロックカバー３６のロック状態においては、下部ハンガーロッド２１が寸法Ｄだけ摺動可能であるので、例えば、耕耘作業開始時にロータリー耕耘装置を下降させた際、圃場面に当接した下部リヤカバー２ｂは、ロータリー耕耘装置の下降に伴って、下部ハンガーロッド２１が摺動可能な範囲で上方回動することができる。これにより、耕耘作業開始時にロータリー耕耘装置を下降迅速に下降させて鋤き込みを行うことができ、設定した一定の耕深へ達するまでの距離を短縮することができる。
【００２５】
また、本ロータリー耕耘装置においては、上部リヤカバー２ａ及び下部リヤカバー２ｂの回動位置を調節するハンガーロッドを、上部ハンガーロッド２０と下部ハンガーロッド２１といったように、それぞれ別体に形成しているため、上下部リヤカバー２ａ・２ｂの回動位置を調節するための機構等を簡単な構成とすることができ、上部ハンガーロッド２０用のロック装置である上部ロックカバー３４と下部ハンガーロッド２１用のロック装置である下部ロックカバー３６との両方を容易に設けることが可能となっている。
【００２６】
次に、下部リヤカバー２ｂの左右両端部の構成について説明する。図１、図２に示すように、ロータリーカバー１の両端部には、土壌が左右外方へはみ出すことを防止するためのサイドカバー１７がそれぞれ固設されている。また、下部リヤカバー２ｂの左右両端部には、左右外方へ突出する突出部５１がそれぞれ形成されている。
【００２７】
該突出部５１の外側端はサイドカバー１７よりも外方へ突出して、その左右方向への突出量は適宜必要な寸法に設定されている。また、該突出部５１は、上下方向においては、該下部リヤカバー２ｂが上方回動した際に突出部５１とサイドカバー１７とが干渉しない位置に、例えば下部リヤカバー２ｂの略下半部に形成されている。
【００２８】
そして、該突出部５１の外側端部には、下部リヤカバー２ｂの左右幅を延長する延長カバー５２がボルト等により着脱可能に取付固定されており、隣接耕等による耕耘作業の仕上時に、該延長カバー５２によって隣接部との境界を均して段差をなくすように構成している。尚、該延長カバー５２は、前記突出部５１に比べて、左右幅寸法を大きく形成している。
【００２９】
しかし、延長カバー５２の左右外側端部は、左右外方へ大きく張り出しているため、隣接耕等による耕耘作業を行う場合の、荒耕し作業時等には該延長カバー５２が隣接部に乗り上げて下部リヤカバー２ｂを必要な位置まで降ろすことができなくなる等、延長カバー５２が邪魔になることがあり、また、作業車両の旋回時に畔や石垣等に該延長カバー５２が衝突して破損することがある。
【００３０】
このような不具合は、作業途中に必要に応じて延長カバーを着脱することにより解消することが可能であるが、着脱作業がかなり煩雑である等の問題があるため、本ロータリー耕耘装置においては、前述の如く下部リヤカバー２ｂの左右両端部を左右外方へ突出して突出部５１を形成し、該突出部５１により前記延長カバー５２と同様に隣接部との境界部を均すことができるようにしている。この場合、突出部５１の左右外方への突出量は、隣接部との境界部を均すことができる最小限の大きさに抑えて、荒耕し作業時等に該突出部５１が邪魔になったり、旋回時に畔や石垣等に該突出部５１が衝突することがないようにしている。
【００３１】
以上の如く、下部リヤカバー２ｂの左右両端部を、ロータリーカバー１の左右両端部に固設されるサイドカバー１７より外方へ突出させて突出部５１を形成することにより、該突出部５１によって、該突出部５１が邪魔になったり、畔や石垣等に衝突させたりすることなく、隣接部との境界部を均すことが可能となる。また、これにより、荒耕し作業時と仕上作業時とで延長カバー５２を着脱する如くの煩雑な作業を行う必要もなくなる。尚、突出部５１よりも、さらに広い範囲を均したい場合等には、前述の如く、必要に応じて延長カバー５２を突出部５１の外側端部に取り付けて作業を行うことも可能である。
【００３２】
次に、下部リヤカバー２ｂに設けた開閉可能とする開閉カバーのロック装置について説明する。図１に示すように、下部リヤカバー２ｂの右側端部には開閉カバーとしてのサイドリヤカバー５５が形成されるとともに、該下部リヤカバー２ｂの左右略中央には開閉カバーとしての三角扉５６・５６が形成されている。
【００３３】
サイドリヤカバー５５は、片培土器をロータリー耕耘装置に装着する場合に閉じた状態から開き、三角扉５６・５６は、畦立器をロータリー耕耘装置に装着する場合に閉じた状態から開くようにしているが、サイドリヤカバー５５及び三角扉５６・５６には、該サイドリヤカバー５５及び三角扉５６・５６の開位置と閉位置にロックするためのロック装置１６が設けられている。
【００３４】
該ロック装置１６は、下部リヤカバー２ｂに取付固定される基部６１と、サイドリヤカバー５５又は三角扉５６・５６に取付固定されるアーム６２と、該基部６１とアーム６２とを回動自在に連結する枢支軸６３と、アーム６２の基部６１に対する回動位置をロックするロックピン６４とで構成されている。
【００３５】
図５、図６に示すように、ロックピン６４はピン状部材を略Ｌ字状に屈曲して形成され、把持部６４ａとロック部６４ｂとで構成されており、該ロック部６４ｂが、アーム６２に形成される摺動孔６２ａ・６２ａを摺動自在に貫通している。また、該ロック部６４ｂの先端部が、基部６１に形成される閉時ロック孔６１ａに摺動自在に嵌入している。
【００３６】
ロックピン６４は、スプリング６５によりロック部６４ｂが閉時ロック孔６１ａに嵌入する方向へ付勢されており、該ロック部６４ｂが閉時ロック孔６１ａに嵌入している状態においては、サイドリヤカバー５５及び三角扉５６・５６は閉じた状態でロックされている。
この状態から、ロックピン６４の把持部６４ａをスプリング６５の付勢力に抗して引き、ロック部６４ｂの先端部を閉時ロック孔６１ａから抜き出すと、ロック状態が解除されてアーム６２が基部６１に対して回動自在となり、サイドリヤカバー５５及び三角扉５６・５６が開閉可能となる。
【００３７】
そして、サイドリヤカバー５５及び三角扉５６・５６を回動し、ロックピン６４のロック部６４ｂ先端と、基部６１に形成される開時ロック孔６１ｂとの位置が合う位置まで開き、この開いた状態でロックピン６４の把持部６４ａを離すとスプリング６５の付勢力によりロック部６４ｂが開時ロック孔６１ｂに嵌入して、サイドリヤカバー５５及び三角扉５６・５６が開いた状態でロックされる。
【００３８】
このように、ロック装置１６は、ロックピン６４を基部６１の閉時ロック孔６１ａ又は開時ロック孔６１ｂに対して挿脱することにより開閉ロック状態の切り換えを行うように構成している。
【００３９】
上記のように、上部リヤカバーの回動位置の調節を行う上部ハンガーロッドと、下部リヤカバーの回動位置の調節を行う下部ハンガーロッドとを別体に形成したので、上下部リヤカバーの回動位置を調節するための機構等を簡単な構成とすることができ、上部ハンガーロッド用のロック装置である上部ロックカバーと下部ハンガーロッド用のロック装置である下部ロックカバーとの両方を容易に設けることが可能となっている。
【００４０】
さらに、前記上部ハンガーロッドと下部ハンガーロッドとの両方に、該両部ハンガーロッドの摺動量を規制するロック装置をそれぞれ設けたので、例えば、耕耘作業中や代かき作業中に、上部ロックカバーと下部ロックカバー３６とを共にロック状態にしておけば、該上下部ロックカバーにより規制された上下部ハンガーロッドの摺動可能量以上、即ち上下部リヤカバーの回動量以上に耕深が変化すると、下部リヤカバーが圃場面から上方回動方向の力を受けて、上下部リヤカバーが上方回動され、前記オート機構を作動させて耕深を一定に保つことができる。
【００４１】
また、耕深の変化が、下部ハンガーロッドが摺動できる範囲内で収まる程度の大きさである間は、下部リヤカバーが回動動作するだけで前記オート機構は作動せず、耕耘爪と上下部リヤカバーとの間の間隙を大きくとることができ、砕土性を良好に保つことができる。また、この場合、下部リヤカバーによる圃場面の加圧力のみにより圃場面を均平に均すことができ、きれいな仕上がりを得て均平性の向上を図ることができる。さらに、例えば、耕耘作業開始時にロータリー耕耘装置を下降させた際、圃場面に当接した下部リヤカバーは、ロータリー耕耘装置の下降に伴って、下部ハンガーロッドが摺動可能な範囲で上方回動することができるため、耕耘作業開始時にロータリー耕耘装置を下降迅速に下降させて鋤き込みを行うことができ、設定した一定の耕深へ達するまでの距離を短縮することができる。
【００４２】
さらに、下部ハンガーロッドに設けた前記ロック装置のロック状態とロック解除状態との切り換えを、該ロータリー耕耘装置が装着される作業車両の運転操作部にてワンタッチ操作で行うことを可能としたので、下部ロックカバーのロック状態とロック解除状態との切換作業を簡便にすることができる。
【００４３】
さらに、下部リヤカバーの左右両端部を、ロータリーカバーの左右両端部に固設されるサイドカバーより外方へ突出させたので、この突出部によって、該突出部が邪魔になったり、畔や石垣等に衝突させたりすることなく、隣接部との境界部を均すことが可能となる。また、これにより、荒耕し作業時と仕上作業時とで延長カバーを着脱する如くの煩雑な作業を行う必要もなくなる。
【００４４】
【発明の効果】
本発明は、以上のように構成したことにより、次のような効果が得られる。    ロータリーカバー（１）の後端部に回動自在に支持したリヤカバー（２）を、上部リヤカバー（２ａ）と下部リヤカバー（２ｂ）とに上下二分割し、該下部リヤカバー（２ｂ）の左右略中央には、左右の三角扉（５６・５６）を設け、該三角扉（５６・５６）は、畦立器をロータリー耕耘装置に装着する場合に閉じた状態から左右に開放すべく構成し、該三角扉（５６・５６）を開位置と閉位置にロックするためのロック装置（１６）を設け、該ロック装置（１６）は、前記下部リヤカバー（２ｂ）に取付固定される基部（６１）と、三角扉（５６・５６）に取付固定されるアーム（６２）と、該基部（６１）とアーム（６２）とを回動自在に連結する枢支軸（６３）と、該アーム（６２）に支持し、該アーム（６２）の基部（６１）に対する回動位置をロックするロックピン（６４）とで構成し、該ロックピン（６４）はスプリング（６５）により、ロック部（６４ｂ）が閉時ロック孔（６１ａ）と開時ロック孔（６１ｂ）に嵌入する方向へ付勢し、該ロックピン（６４）は、途中部で屈曲した略Ｌ字状に形成したので、ロックピンの摺動部分を減少させ、土・泥の詰まりや錆び付きの発生確率を低減し、また、土・泥の詰まりや錆び付きが発生した場合には復旧するための力や手間を減少するとともに、メンテナンス作業を簡便なものとすることができるのである。
【図面の簡単な説明】
【図１】  本発明のロータリー耕耘装置を示す全体平面図である。
【図２】  同じく側面図である。
【図３】  下部ロックカバーを運転操作部からワンタッチ操作可能に構成したロータリー耕耘装置を示す部分平面図である。
【図４】  下部ハンガーロッドのロック装置を示す側面図である。
【図５】  下部リヤカバーに形成されるサイドリヤカバー及び三角扉のロック装置を示す正面断面図である。
【図６】  同じく側面図である。
【図７】  従来のサイドリヤカバー及び三角扉のロック装置を示す正面断面図である。
【符号の説明】
１  ロータリーカバー
２  リヤカバー
２ａ  下部リヤカバー
２ｂ  上部リヤカバー
１６  （サイドリヤカバー及び三角扉の）ロック装置
１７  サイドカバー
２０  上部ハンガーロッド
２１  下部ハンガーロッド
３４  上部ロックカバー
３６  下部ロックカバー
５１  突出部
５２  延長カバー
６４  ロックピン
【図１】
0003911369.tif 000002
【図２】
0003911369.tif 000003
【図３】
0003911369.tif 000004
【図４】
0003911369.tif 000005
【図５】
0003911369.tif 000006
【図６】
0003911369.tif 000007
【図７】
0003911369.tif 000008